【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】
画素ＴＦＴ及び画素電極を含む複数の画素と、液晶とを有する半導体表示装置の駆動方法において、
前記画素ＴＦＴを介して、前記画素電極に表示信号が入力されており、
前記画素電極に入力される表示信号は、共通電位を基準として正又は負の極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置の駆動方法。
【請求項２】
画素ＴＦＴ及び画素電極を含む複数の画素と、複数のソース信号線と、複数のゲート信号線と、液晶とを有する半導体表示装置の駆動方法において、
前記複数のゲート信号線に入力される選択信号によって、前記画素ＴＦＴのスイッチングが制御され、
前記複数のソース信号線に入力される表示信号は、前記画素ＴＦＴを介して、前記画素電極に入力され、
前記画素電極に入力される表示信号は、共通電位を基準として正又は負の極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置の駆動方法。
【請求項３】
画素ＴＦＴ及び画素電極を含む複数の画素と、複数のソース信号線と、複数のゲート信号線と、液晶とを有する半導体表示装置の駆動方法において、
前記複数のゲート信号線に入力される選択信号によって、前記画素ＴＦＴのスイッチングが制御され、
前記複数のソース信号線に入力される表示信号は、前記画素ＴＦＴを介して前記画素電極に入力され、
前記画素電極に入力される表示信号は、共通電位を基準として正又は負の極性を有しており、
前記複数のソース信号線のそれぞれに入力される表示信号は、各フレーム期間中、前記共通電位を基準として常に同じ極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置の駆動方法。
【請求項４】
画素ＴＦＴ及び画素電極を含む複数の画素と、複数のソース信号線と、複数のゲート信号線と、液晶とを有する半導体表示装置の駆動方法において、
前記複数のゲート信号線に入力される選択信号によって、前記画素ＴＦＴのスイッチングが制御され、
前記複数のソース信号線に入力される表示信号は、前記画素ＴＦＴを介して前記画素電極に入力され、
前記画素電極に入力される表示信号は、共通電位を基準として正又は負の極性を有しており、
前記複数のソース信号線に入力される全ての表示信号の極性は、１ライン期間中、前記共通電位を基準として同じ極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置の駆動方法。
【請求項５】
請求項１乃至４のいずれか一において、
前記画素電極の１つに入力される前記表示信号の極性は、前記第２のフレーム期間と、前記第２のフレーム期間と隣り合う第３のフレーム期間とで反転していることを特徴とする半導体表示装置の駆動方法。
【請求項６】
ソース信号線駆動回路と、ゲート信号線駆動回路と、複数のソース信号線と、複数のゲート信号線と、画素部と、表示信号生成部とを有する半導体表示装置であって、
前記画素部は、画素ＴＦＴ及び画素電極を含む複数の画素を有しており、
前記表示信号生成部は、制御部と、極性データ信号生成部と、交流化信号生成部と、表示信号選択部と、プラス側表示信号生成部と、マイナス側表示信号生成部とを有しており、
前記制御部は、前記極性データ信号生成部、前記交流化信号生成部、前記ソース信号線駆動回路及び前記ゲート信号線駆動回路の駆動を制御し、
前記極性データ信号生成部は極性データを有する極性データ信号を前記交流化信号生成部に入力し、
前記交流化信号生成部は、前記極性データ信号にしたがって交流化信号を生成して前記表示信号選択部に入力し、
前記プラス側表示信号生成部と前記マイナス側表示信号生成部において、正の極性を有する映像信号と負の極性を有する映像信号とがそれぞれ生成されて前記表示信号選択部に入力され、
前記表示信号選択部において、前記正の極性を有する映像信号と前記負の極性を有する映像信号と前記交流化信号とから、表示信号が生成され前記ソース信号線駆動回路に入力され、
前記ソース信号線駆動回路に入力された前記表示信号は、サンプリングされて前記複数のソース信号線に入力され、
前記複数のゲート信号線に入力される選択信号によって、前記画素ＴＦＴのスイッチングが制御され、
前記複数のソース信号線に入力される前記表示信号は、前記画素ＴＦＴを介して、前記画素電極に入力され、
前記画素電極に入力される表示信号は、共通電位を基準として正又は負の極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置。
【請求項７】
ソース信号線駆動回路と、ゲート信号線駆動回路と、複数のソース信号線と、複数のゲート信号線と、画素部と、階調電圧制御部と、階調電圧電源とを有する半導体表示装置であって、
前記ソース信号線駆動回路はＤ／Ａ変換回路を有しており、
前記画素部は、画素ＴＦＴ及び画素電極を含む複数の画素を有しており、
前記階調電圧制御部は、制御部と、極性データ信号生成部と、交流化信号生成部とを有しており、
前記制御部は、前記極性データ信号生成部、前記交流化信号生成部、前記ソース信号線駆動回路及び前記ゲート信号線駆動回路の駆動を制御し、
前記極性データ信号生成部は極性データを有する極性データ信号を前記交流化信号生成部に入力し、
前記交流化信号生成部は、前記極性データ信号にしたがって交流化信号を生成して前記階調電圧電源に入力し、
前記交流化信号によって、前記階調電圧電源から前記Ｄ／Ａ変換回路に入力される階調電圧が制御され、
前記Ｄ／Ａ変換回路から出力された表示信号は、サンプリングされて前記複数のソース信号線に入力され、
前記複数のゲート信号線に入力される選択信号によって、前記画素ＴＦＴのスイッチングが制御され、
前記複数のソース信号線に入力される前記表示信号は、前記画素ＴＦＴを介して、前記画素電極に入力され、
前記画素電極に入力される表示信号は、共通電位を基準として正又は負の極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置。
【請求項８】
ソース信号線駆動回路と、ゲート信号線駆動回路と、複数のソース信号線と、複数のゲート信号線と、画素部と、表示信号生成部とを有する半導体表示装置であって、
前記画素部は、画素ＴＦＴ及び画素電極を含む複数の画素を有しており、
前記表示信号生成部は、制御部と、アドレスカウンタと、極性データ信号生成部と、メモリと、交流化信号生成部と、表示信号選択部と、プラス側表示信号生成部と、マイナス側表示信号生成部とを有しており、
前記制御部は、前記アドレスカウンタ、前記交流化信号生成部、前記ソース信号線駆動回路及び前記ゲート信号線駆動回路の駆動を制御し、
前記アドレスカウンタから出力されるカウンタ信号によって、前記メモリのアドレスが指定され、
前記極性データ信号生成部は前記アドレスに記憶されている極性データを、極性データ信号として前記交流化信号生成部に入力し、
前記交流化信号生成部は、前記極性データ信号にしたがって交流化信号を生成して前記表示信号選択部に入力し、
前記プラス側表示信号生成部と前記マイナス側表示信号生成部において、正の極性を有する映像信号と負の極性を有する映像信号とがそれぞれ生成されて前記表示信号選択部に入力され、
前記表示信号選択部において、前記正の極性を有する映像信号と前記負の極性を有する映像信号と前記交流化信号とから、表示信号が生成され前記ソース信号線駆動回路に入力され、
前記ソース信号線駆動回路に入力された前記表示信号は、サンプリングされて前記複数のソース信号線に入力され、
前記複数のゲート信号線に入力される選択信号によって、前記画素ＴＦＴのスイッチングが制御され、
前記複数のソース信号線に入力される前記表示信号は、前記画素ＴＦＴを介して、前記画素電極に入力され、
前記画素電極に入力される表示信号は、共通電位を基準として正又は負の極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置。
【請求項９】
ソース信号線駆動回路と、ゲート信号線駆動回路と、複数のソース信号線と、複数のゲート信号線と、画素部と、階調電圧制御部と、階調電圧電源とを有する半導体表示装置であって、
前記ソース信号線駆動回路はＤ／Ａ変換回路を有しており、
前記画素部は、画素ＴＦＴ及び画素電極を含む複数の画素を有しており、
前記階調電圧制御部は、制御部と、アドレスカウンタと、極性データ信号生成部と、メモリと、交流化信号生成部とを有しており、
前記制御部は、前記アドレスカウンタ、前記交流化信号生成部、前記ソース信号線駆動回路及び前記ゲート信号線駆動回路の駆動を制御し、
前記アドレスカウンタから出力されるカウンタ信号によって、前記メモリのアドレスが指定され、
前記極性データ信号生成部は前記アドレスに記憶されている極性データを、極性データ信号として前記交流化信号生成部に入力し、
前記交流化信号生成部は、前記極性データ信号にしたがって交流化信号を生成して前記階調電圧電源に入力し、
前記交流化信号によって、前記階調電圧電源から前記Ｄ／Ａ変換回路に入力される階調電圧が制御され、
前記Ｄ／Ａ変換回路から出力された表示信号は、サンプリングされて前記複数のソース信号線に入力され、
前記複数のゲート信号線に入力される選択信号によって、前記画素ＴＦＴのスイッチングが制御され、
前記複数のソース信号線に入力される前記表示信号は、前記画素ＴＦＴを介して、前記画素電極に入力され、
前記画素電極に入力される表示信号は、共通電位を基準として正又は負の極性を有しており、
前記画素電極の１つに入力される前記表示信号の極性は、第１のフレーム期間と、前記第１のフレーム期間と隣り合う第２のフレーム期間とでランダムに異なっていることを特徴とする半導体表示装置。
【請求項１０】
請求項６乃至９のいずれか一において、
前記極性データとは全ての画素に入力される表示信号の極性についての情報であることを特徴とする半導体表示装置。
【請求項１１】
請求項６乃至１０のいずれか一において、
前記画素電極の１つに入力される前記表示信号の極性は、前記第２のフレーム期間と、前記第２のフレーム期間と隣り合う第３のフレーム期間とで反転していることを特徴とする半導体表示装置。